(57)【要約】【課題】複数の領域で原稿の読み取りが可能な読取装置において、該読取装置のコンパクト化を可能にする。【解決手段】複数の透明部材１１及び１２と、透明部材１１及び１２を介して原稿を読み取る読取部１０と、第１領域Ｒ１から第２領域Ｒ２までの領域間において読取部１０を移動させる移動部２６と、前記領域間の読取部１０の移動経路の少なくとも一部を構成し、第１透明部材１１において読取部１０と対向可能な側に設けられた面３３と面一に構成された平坦部３２と、読取部１０の移動方向Ｃにおいて第２透明部材１２側に平坦部３２と隣接して設けられ、読取部１０を移動させる際に該読取部１０を前記面３３と交差する方向に押し出す押出部３１と、を有する移動補助部１８と、を備え、読取部１０は、第１領域Ｒ１のうちの面３３及び平坦部３２の両方と対向する第１読取位置で、前記原稿を読み取る。【選択図】図９
2015154174.tif 000002
【特許請求の範囲】
【請求項１】
複数の透明部材と、
前記透明部材を介して原稿を読み取る読取部と、
複数の前記透明部材のうちの第１透明部材と対向する第１領域から複数の前記透明部材のうちの第２透明部材と対向する第２領域までの領域間において、前記読取部を移動させる移動部と、
前記領域間の前記読取部の移動経路の少なくとも一部を構成し、
前記第１透明部材において前記読取部と対向可能な側に設けられた面と面一に構成された平坦部と、
前記読取部の移動方向において前記第２透明部材側に前記平坦部と隣接して設けられ、前記読取部を移動させる際に該読取部を前記面と交差する方向に押し出す押出部と、を有する移動補助部と、を備え、
前記読取部は、前記第１領域のうちの前記面及び前記平坦部の両方と対向する第１読取位置で、前記原稿を読み取り可能であることを特徴とする読取装置。
【請求項２】
請求項１に記載の読取装置において、
原稿自動送り装置を備え、
前記読取部は、前記原稿自動送り装置から送られる前記原稿を前記第１読取位置で読み取り可能であることを特徴とする読取装置。
【請求項３】
請求項１又は２に記載の読取装置において、
前記第２透明部材は、前記原稿を載置可能であり、
前記読取部は、前記第２透明部材に載置された前記原稿を前記第２領域で読み取り可能であることを特徴とする読取装置。
【請求項４】
請求項１から３のいずれか１項の読取装置において、
前記読取部は、前記移動方向と交差する方向に沿って前記原稿を読み取る読取ラインを有し、
前記読取部が前記第１読取位置にある際の前記読取ラインは、前記面と対向することを特徴とする読取装置。
【請求項５】
請求項１から４のいずれか１項の読取装置において、
前記読取部は、前記第１透明部材と接触可能な突起部を有することを特徴とする読取装置。
【請求項６】
請求項５に記載の読取装置において、
前記読取部は、前記読取部が前記第２領域側から前記第１領域側に移動する際、前記突起部よりも先に前記第１透明部材と接触し、前記突起部が前記第１透明部材の前記第２領域側端部と接触しないようにする突出部を有することを特徴とする読取装置。
【請求項７】
請求項５又は６に記載の読取装置において、
前記押出部は、前記読取部が前記第２領域側から前記第１領域側に移動する際、前記突起部よりも先に前記読取部の前記第１領域側の端部が前記第１透明部材と接触し、前記突起部が前記第１透明部材の前記第２領域側端部と接触しないように構成されていることを特徴とする読取装置。
【請求項８】
請求項５から７のいずれか１つに記載の読取装置において、
前記読取部は、前記突起部として、前記移動方向のうちの前記第２領域側から前記第１領域側に向かう方向において前側の前側突起部と後側の後側突起部とを有することを特徴とする読取装置。
【請求項９】
請求項８に記載の読取装置において、
前記後側突起部と前記後側の前記読取部の端部との距離は、前記前側突起部と前記前側の前記読取部の端部との距離よりも長いことを特徴とする読取装置。
【請求項１０】
請求項８又は９に記載の読取装置において、
前記読取部は、前記読取部が前記第１読取位置にある際、前記後側突起部よりも前記第２領域側の少なくとも一部が前記押出部と対向することを特徴とする読取装置。
【請求項１１】
複数の透明部材と、
前記透明部材を介して原稿を読み取る読取部と、
複数の前記透明部材のうちの第１透明部材と対向する第１領域から複数の前記透明部材のうちの第２透明部材と対向する第２領域までの領域間において、前記読取部を移動させる移動部と、
前記領域間の前記読取部の移動経路の少なくとも一部を構成し、
前記読取部の移動方向において前記第２透明部材側に設けられ、前記読取部を移動させる際に該読取部を前記面と交差する方向に押し出す押出部と、
前記第１透明部材において前記読取部と対向可能な側に設けられた面の端部と前記押出部との間を埋めて、前記読取部が前記第１透明部材の端部への引っ掛かりを防止する補間部と、を有する移動補助部と、を備え、
前記読取部は、前記第１領域のうちの前記面及び前記補間部の両方と対向する第１読取位置で、前記原稿を読み取り可能であることを特徴とする読取装置。
【請求項１２】
請求項１から１１のいずれか１つの読取装置と、
被記録媒体に記録可能な記録装置と、
を備えることを特徴とする画像形成装置。
【発明の詳細な説明】
【技術分野】
【０００１】
本発明は、読取装置及び画像形成装置に関する。
【背景技術】
【０００２】
従来から、原稿の読み取りが可能な様々な読取装置が使用されている。また、このような読取装置のうち、複数の領域で原稿の読み取りが可能な読取装置が使用されている。  
例えば、特許文献１及び特許文献２には、コンタクトガラスと対向する位置からプラテンガラスと対向する位置までの間（複数の領域間）を、読取ユニット（読取部）が移動可能な構成の読取装置（画像形成装置）が開示されている。  
このうち、特許文献２で開示される読取装置は、コンタクトガラスの下面に対して押し出す（傾斜する）ガイド部（移動補助部）を有し、読取ユニットの移動が滑らかになるように構成されている。特許文献１で開示される読取装置のように、このような読取ユニットを前記下面に対して押し出す移動補助部がない構成では、複数の領域間を読取部が移動する際に、各領域の境界部又は各領域と該各領域の間の構成部材との境界部において読取部が引っ掛かる場合があるためである。そして、読取ユニットを前記下面に対して押し出す移動補助部が在る構成では、複数の領域間を読取部が移動する際に読取部が一度押し下げられるので、各領域の境界部又は各領域と該各領域の間の構成部材との境界部において読取部が引っ掛かることが抑制されるためである。  
また、上記のような読取装置においては、これまで以上にユーザーからコンパクト化が求められている。
【先行技術文献】
【特許文献】
【０００３】
【特許文献１】特開２０１２−１２９６４９号公報
【特許文献２】特開２０１２−１５１５７０号公報
【発明の概要】
【発明が解決しようとする課題】
【０００４】
しかしながら、特許文献１で開示される読取装置は、特許文献２で開示される読取装置のような読取ユニットを前記下面に対して押し出す移動補助部を有していないため、前記複数の領域間を移動する読取部の移動不良を十分に抑制できなかった。  
また、特許文献２で開示される読取装置は、コンパクト化するために、コンタクトガラスと対向する位置において原稿を読み取る際の読み取り位置をガイド部側に配置すると、読取部とガイド部の斜面とが接触し該読取部を傾かせてしまう。  
このため、従来の複数の領域で原稿の読み取りが可能な読取装置においては、該読取装置のコンパクト化ができていなかった。
【０００５】
そこで、本発明の目的は、複数の領域で原稿の読み取りが可能な読取装置において、該読取装置のコンパクト化することである。
【課題を解決するための手段】
【０００６】
上記課題を解決するための本発明の第１の態様の読取装置は、複数の透明部材と、前記透明部材を介して原稿を読み取る読取部と、複数の前記透明部材のうちの第１透明部材と対向する第１領域から複数の前記透明部材のうちの第２透明部材と対向する第２領域までの領域間において、前記読取部を移動させる移動部と、前記領域間の前記読取部の移動経路の少なくとも一部を構成し、前記第１透明部材において前記読取部と対向可能な側に設けられた面と面一に構成された平坦部と、前記読取部の移動方向において前記第２透明部材側に前記平坦部と隣接して設けられ、前記読取部を移動させる際に該読取部を前記面と交差する方向に押し出す押出部と、を有する移動補助部と、を備え、前記読取部は、前記第１領域のうちの前記面及び前記平坦部の両方と対向する第１読取位置で、前記原稿を読み取り可能であることを特徴とする。
【０００７】
ここで、「前記第１領域のうちの前記面及び前記平坦部の両方と対向する第１読取位置」とは、前記読取部のうちの一部が前記面と対向し、前記読取部のうちの前記一部以外の一部が前記平坦部と対向する位置を意味する。  
本態様によれば、前記移動補助部は、前記読取部の移動方向において前記第２透明部材側に前記平坦部と隣接して設けられた前記押出部を有する。したがって、前記読取部の移動が滑らかになるため、前記領域間を移動する際の読取部の移動不良を抑制することが可能である。  
また、本態様によれば、前記読取部は、前記第１領域のうちの前記面及び前記平坦部の両方と対向する第１読取位置で、前記原稿を読み取り可能である。このため、前記第１透明部材と前記第２透明部材とを接近して構成することができるので前記読取装置のコンパクト化を可能にする。そして、前記平坦部により前記読取部を傾かせることなく前記第１読取位置に位置させることを可能にする。
【０００８】
本発明の第２の態様の読取装置は、前記第１の態様において、原稿自動送り装置を備え、前記読取部は、前記原稿自動送り装置から送られる前記原稿を前記第１読取位置で読み取り可能であることを特徴とする。
【０００９】
ここで、「原稿自動送り装置」とは、原稿を自動的に読取位置まで供給するための装置であり、所謂「Ａｕｔｏ  Ｄｏｃｕｍｅｎｔ  Ｆｅｅｄｅｒ（ＡＤＦ）」を意味する。  
本態様によれば、前記読取部は、前記原稿自動送り装置から送られる前記原稿を前記第１読取位置で読み取り可能である。このため、前記原稿自動送り装置を備える前記読取装置において、該読取装置のコンパクト化を可能にし、前記領域間を移動する前記読取部の移動不良を抑制し、該読取部を傾かせることなく前記第１読取位置に位置させることを可能にする。
【００１０】
本発明の第３の態様の読取装置は、前記第１又は第２の態様において、前記第２透明部材は、前記原稿を載置可能であり、前記読取部は、前記第２透明部材に載置された前記原稿を前記第２領域で読み取り可能であることを特徴とする。
【００１１】
本態様によれば、前記第２透明部材は、前記原稿を載置可能であり、前記読取部は、前記第２透明部材に載置された前記原稿を前記第２領域で読み取り可能である。このため、前記原稿を載置可能な前記第２透明部材を備える前記読取装置において、該読取装置のコンパクト化を可能にし、前記領域間を移動する前記読取部の移動不良を抑制し、該読取部を傾かせることなく前記第１読取位置に位置させることを可能にする。
【００１２】
本発明の第４の態様の読取装置は、前記第１から第３のいずれか１つの態様において、前記読取部は、前記移動方向と交差する方向に沿って前記原稿を読み取る読取ラインを有し、前記読取部が前記第１読取位置にある際の前記読取ラインは、前記面と対向することを特徴とする。
【００１３】
本態様によれば、前記読取部が前記第１読取位置にある際の前記読取ラインは、前記面と対向する。すなわち、前記読取ラインが前記面と対向する位置にあればよく、前記読取部のうちの前記読取ライン以外の部分を前記平坦部と対向する位置に構成することができる。このため、前記第１透明部材と前記第２透明部材とを接近して構成することができるので効果的に前記読取装置のコンパクト化を可能にする。
【００１４】
本発明の第５の態様の読取装置は、前記第１から第４のいずれか１つの態様において、前記読取部は、前記第１透明部材と接触可能な突起部を有することを特徴とする。
【００１５】
本態様によれば、前記読取部は、前記第１透明部材と接触可能な突起部を有する。このため、前記突起部により前記読取部と前記第１透明部材との接触に伴う摩擦力を低減可能になり、前記領域間を移動する前記読取部の移動不良を効果的に抑制できる。
【００１６】
本発明の第６の態様の読取装置は、前記第５の態様において、前記読取部は、前記読取部が前記第２領域側から前記第１領域側に移動する際、前記突起部よりも先に前記第１透明部材と接触し、前記突起部が前記第１透明部材の前記第２領域側端部と接触しないようにする突出部を有することを特徴とする。
【００１７】
本態様によれば、前記読取部は、前記読取部が前記第２領域側から前記第１領域側に移動する際、前記突起部よりも先に前記第１透明部材と接触し、前記突起部が前記第１透明部材の前記第２領域側端部と接触しないようにする突出部を有する。このため、例えば、前記突出部を、前記読取部が前記第２領域側から前記第１領域側に移動する際、前記第１透明部材の前記第２領域側端部と接触しない位置に設けることにより、前記突起部が前記第１透明部材の前記第２領域側端部に接触しないように構成することができる。こうして、前記突起部が前記第１透明部材に対して引っ掛かることを抑制し、前記領域間を移動する前記読取部の移動不良を効果的に抑制できる。
【００１８】
本発明の第７の態様の読取装置は、前記第５又は第６の態様において、前記押出部は、前記読取部が前記第２領域側から前記第１領域側に移動する際、前記突起部よりも先に前記読取部の前記第１領域側の端部が前記第１透明部材と接触し、前記突起部が前記第１透明部材の前記第２領域側端部と接触しないように構成されていることを特徴とする。
【００１９】
本態様によれば、前記押出部は、前記読取部が前記第２領域側から前記第１領域側に移動する際、前記突起部よりも先に前記読取部の前記第１領域側の端部が前記第１透明部材と接触し、前記突起部が前記第１透明部材の前記第２領域側端部と接触しないように構成されている。このため、例えば、前記押出部を、前記読取部が前記第２領域側から前記第１領域側に移動する際、前記突起部が前記第１透明部材の前記第２領域側端部と接触しないよう構成することにより、前記突起部が前記第１透明部材の前記第２領域側端部に接触しないように構成することができる。こうして、前記突起部が前記第１透明部材に対して引っ掛かることを抑制し、前記領域間を移動する前記読取部の移動不良を効果的に抑制できる。
【００２０】
本発明の第８の態様の読取装置は、前記第５から第７のいずれか１つの態様において、前記読取部は、前記突起部として、前記移動方向のうちの前記第２領域側から前記第１領域側に向かう方向において前側の前側突起部と後側の後側突起部とを有することを特徴とする。
【００２１】
本態様によれば、前記読取部は、前記突起部として、前記移動方向のうちの前記第２領域側から前記第１領域側に向かう方向において前側の前側突起部と後側の後側突起部とを有する。したがって、前記突起部を前記移動方向に複数備えるため、前記突起部により前記読取部と前記第１透明部材との接触に伴う摩擦力を効果的に低減可能になり、前記領域間を移動する前記読取部の移動不良をさらに効果的に抑制できる。
【００２２】
本発明の第９の態様の読取装置は、前記第８の態様において、前記後側突起部と前記後側の前記読取部の端部との距離は、前記前側突起部と前記前側の前記読取部の端部との距離よりも長いことを特徴とする。
【００２３】
本態様によれば、前記後側突起部と前記後側の前記読取部の端部との距離は、前記前側突起部と前記前側の前記読取部の端部との距離よりも長い。すなわち、前記後側突起部は前記前側突起部に寄せられて構成されているので、前記前側突起部が前記第１透明部材と接触してからすぐに前記後側突起部が前記第１透明部材と接触することを可能にする。このため、前記領域間を移動する前記読取部の移動不良を特に効果的に抑制できる。
【００２４】
本発明の第１０の態様の読取装置は、前記第８又は第９の態様において、前記読取部は、前記読取部が前記第１読取位置にある際、前記後側突起部よりも前記第２領域側の少なくとも一部が前記押出部と対向することを特徴とする。
【００２５】
本態様によれば、前記読取部は、前記読取部が前記第１読取位置にある際、前記後側突起部よりも前記第２領域側の少なくとも一部が前記押出部と対向する。すなわち、例えば、前記読取部が前記押出部と接触しない程度に、前記少なくとも一部を前記押出部と対向する位置に構成することができる。このため、効率的に前記読取装置のコンパクト化を可能にする。
【００２６】
本発明の第１１の態様の読取装置は、複数の透明部材と、前記透明部材を介して原稿を読み取る読取部と、複数の前記透明部材のうちの第１透明部材と対向する第１領域から複数の前記透明部材のうちの第２透明部材と対向する第２領域までの領域間において、前記読取部を移動させる移動部と、前記領域間の前記読取部の移動経路の少なくとも一部を構成し、前記読取部の移動方向において前記第２透明部材側に設けられ、前記読取部を移動させる際に該読取部を前記面と交差する方向に押し出す押出部と、前記第１透明部材において前記読取部と対向可能な側に設けられた面の端部と前記押出部との間を埋めて、前記読取部が前記第１透明部材の端部への引っ掛かりを防止する補間部と、を有する移動補助部と、を備え、前記読取部は、前記第１領域のうちの前記面及び前記補間部の両方と対向する第１読取位置で、前記原稿を読み取り可能であることを特徴とする。
【００２７】
本態様によれば、前記移動補助部は、前記読取部の移動方向において前記第２透明部材側に設けられ、前記読取部を移動させる際に該読取部を前記面と交差する方向に押し出す前記押出部を有する。したがって、前記読取部の移動が滑らかになるため、前記領域間を移動する際の読取部の移動不良を抑制することが可能である。  
また、本態様によれば、前記読取部は、前記第１領域のうちの前記面及び前記補間部の両方と対向する第１読取位置で、前記原稿を読み取り可能である。このため、前記第１透明部材と前記第２透明部材とを接近して構成することができるので前記読取装置のコンパクト化を可能にする。そして、前記補間部により前記読取部を傾かせることなく前記第１読取位置に位置させることを可能にする。
【００２８】
本発明の第１２の態様の画像形成装置は、前記第１から第１１のいずれか１つの態様の読取装置と、被記録媒体に記録可能な記録装置と、を備えることを特徴とする。
【００２９】
本態様によれば、前記画像形成装置のコンパクト化を可能にし、前記領域間を移動する読取部の移動不良を抑制し、前記読取部を傾かせることなく前記第１読取位置に位置させることを可能にする。
【図面の簡単な説明】
【００３０】
【図１】本発明の一実施例に係る画像形成装置を表す概略斜視図。
【図２】本発明の一実施例に係る画像形成装置の読取装置を表す概略側面断面図。
【図３】本発明の一実施例に係る読取装置を表す概略平面図。
【図４】本発明の一実施例に係る読取装置の原稿台（原稿押さえカバーを外した状態）を表す概略平面図。
【図５】本発明の一実施例に係る読取装置の内部構造を表す概略平面図。
【図６】本発明の一実施例に係る読取装置の原稿台を表す概略底面図。
【図７】本発明の一実施例に係る読取装置の要部を表す概略側面断面図。
【図８】本発明の一実施例に係る読取装置の要部を表す概略側面断面図。
【図９】本発明の一実施例に係る読取装置の要部を表す拡大図。
【図１０】本発明の一実施例に係る読取装置の要部を表す拡大図。
【図１１】本発明の一実施例に係る読取装置のＣＩＳモジュールのキャリッジを表す概略斜視図。
【図１２】本発明の一実施例に係る読取装置の要部を表す概略斜視図。
【図１３】本発明の一実施例に係る読取装置の要部を表す概略斜視図。
【図１４】本発明の一実施例に係る読取装置の要部を表す概略斜視図。
【図１５】本発明の一実施例に係る読取装置の要部を表す拡大図。
【図１６】参考例に係る読取装置の要部を表す拡大図。
【発明を実施するための形態】
【００３１】
以下に、本発明の一実施例に係る画像形成装置について、添付図面を参照して詳細に説明する。なお、本実施例の画像形成装置は、本発明の一実施例に係る読取装置と、被記録媒体に記録可能な記録装置と、を備える画像形成装置である。しかしながら、本発明の読取装置は、記録装置と共に構成されるものに限定されない。
【００３２】
［実施例］（図１〜図１５）  
最初に、本発明の一実施例に係る画像形成装置の概要について説明する。  
図１は本実施例に係る画像形成装置１の概略斜視図である。  
画像形成装置１は、被記録媒体Ｐに記録を行う記録装置２と、その上部に設けられる読取装置３とを備えている。
【００３３】
記録装置２には、複数枚の被記録媒体を収容可能なカセット４が着脱可能に設けられ、該カセット４から被記録媒体を１枚ずつ給送する。そして、記録装置２の内部に設けられた不図示の記録部により記録がなされた被記録媒体は、排出トレイ５に排出される。
【００３４】
読取装置３には、複数枚の原稿をセット可能なセットトレイ６が設けられ、該セットトレイ６から原稿を１枚ずつ給送する。そして、読取装置３の内部に設けられた読取部１０（図２参照）により原稿台９に設けられた第１透明部材としての小ガラス１１（図４参照）に対向する第１領域Ｒ１（図２参照）において読み取りがなされた原稿は、排出トレイ７に排出される。
【００３５】
また、読取装置３は、原稿押さえカバー８を原稿台９に対して方向Ａに開くことが可能に構成されており、原稿台９に設けられた第２透明部材としての大ガラス１２（図４参照）の上面に原稿をセット可能である。そして、大ガラス１２に対向する第２領域Ｒ２（図２参照）において、該原稿の読み取りを行うことができる。
【００３６】
次に、本実施例の読取装置３について詳細に説明する。  
図２は、本実施例の読取装置３の概略側面断面図である。また、図３は、本実施例の読取装置３の概略平面図である。また、図４は、本実施例の読取装置３の原稿台９（原稿押さえカバー８を外した状態）を表す概略平面図である。また、図５は、本実施例の読取装置３の内部構造を表す概略平面図である。そして、図６は、本実施例の読取装置３の原稿台９を表す概略底面図である。
【００３７】
図２中の矢印は、セットトレイ６にセットされた原稿の搬送経路を表している。セットトレイ６にセットされた原稿は、方向Ｂに移動可能な給送部１３、ローラー対１４、１５、１６及び１７が駆動されることにより排出トレイ７まで搬送される。また、図２で表されるように、該搬送経路におけるローラー対１５とローラー対１６との間には小ガラス１１が設けられており、読取部１０を後述の第１読取位置に位置させることで、小ガラス１１と対向する位置において該原稿は読取部１０により読み取りが行われる。
【００３８】
図１及び図３で表される原稿押さえカバー８の下部には、図４及び図６で表される原稿台９が設けられている。原稿台９には、上記のように小ガラス１１と大ガラス１２とが設けられている。そして、さらに、小ガラス１１と大ガラス１２との間に、図２で表される第１領域Ｒ１から第２領域Ｒ２までの領域間を読取部１０が方向Ｃに移動する際の該移動を補助する、移動補助部１８が設けられている。
【００３９】
また、図２及び図５で表されるように、読取装置３の内部には、方向Ｃに移動可能な読取部１０が設けられている。そして、図５で表されるように、読取部１０は、方向Ｃと交差する方向Ｄに沿って原稿を読み取る読取ラインを構成するコンタクトイメージセンサー（ＣＩＳ）モジュール２０と、図１１で表されるキャリッジ１９を有している。図５及び図１１で表されるように、キャリッジ１９は、ガイド軸２１に対する軸受２２を有し、ベルト２３に固定されている。そして、キャリッジ１９は、モーター２５による駆動力をプーリー２４及びベルト２３介して受けることにより方向Ｃに移動する。すなわち、ガイド軸２１、ベルト２３、プーリー２４及びモーター２５等により読取部１０の移動部２６が構成されている。
【００４０】
次に、第１領域Ｒ１から第２領域Ｒ２までの領域間における読取部１０の移動状態について説明する。  
図７及び図８は、本実施例の読取装置３の要部を表す概略側面断面図である。また、
図９及び図１０は、本実施例の読取装置３の要部を表す拡大図である。また、図１１は、本実施例の読取装置３のＣＩＳモジュール２０のキャリッジ１９を表す概略斜視図である。  
詳細には、図７は、読取部１０が第２領域Ｒ２に含まれる位置であるホームポジションに有る状態を表している。また、図８及び図９は、読取部１０が第１領域Ｒ１に含まれる位置である第１読取位置に有る状態を表している。そして、図１０は、読取部１０がホームポジションから第１読取位置に移動している途中の状態を表している。  
なお、読取部１０は、セットトレイ６にセットされた原稿の読み取りを行う際は第１読取位置において読み取りを行うが、大ガラス１２の上面にセットされた原稿の読み取りを行う際はホームポジションから方向Ｃ２（図７参照）に移動しながら読み取りを行う。
【００４１】
読取部１０は、図７で表されるホームポジションから図８で表される第１読取位置に移動する際、移動補助部１８を超えて移動する。  
ここで、移動補助部１８は、図９及び図１０で表されるように、小ガラス１１の下面３３と面一に構成された平坦部３２と、方向Ｃにおいて大ガラス１２側に平坦部３２と隣接して設けられ、読取部１０を移動させる際に該読取部１０を下面３３と交差する方向に押し出す押出部３１と、を有している。  
ここでいう面一とは、少なくとも移動補助部１８において小ガラス１１の下面３３と面している領域においては、段差がないという意味である。この移動補助部１８の小ガラス１１の下面３３と面している領域から連なる平坦面３２は、第１領域Ｒ１において保護部２７における方向Ｃ１の後端部に接触してＣＩＳモジュール２０が傾かない範囲で緩やかな傾斜面、あるいは、曲面を有していても良い。この平坦面が補間部として押出部３１と小ガラス１１の間を埋めているので、ＣＩＳＭ２０は小ガラス１１の端面に引っ掛かることなく移動可能となる。  
なお、図９で表されるように、第１読取位置は、第１領域Ｒ１のうちの小ガラス１１の下面３３及び平坦部３２の両方と対向する位置である。
【００４２】
また、読取部１０は、図９で表されるように、ＣＩＳモジュール２０の保護部２７に、小ガラス１１と接触可能な突起部２９及び３０を有している。なお、突起部２９及び３０は、大ガラス１２とも接触可能であり、第１領域Ｒ１において小ガラス１１に対して読取部１０の平行を保つ効果を付与するとともに、第２領域Ｒ２において大ガラス１２に対して読取部１０の平行を保つ効果を付与している。  
ここで、突起部２９及び３０が小ガラス１１及び大ガラス１２に接触可能なのは、図９及び図１１で表されるようにキャリッジ１９には付勢部材としてのバネ３４が設けられており、バネ３４がＣＩＳモジュール２０を上方に向けて付勢力を付与しているためである。
【００４３】
また、読取部１０は、図９及び図１０で表されるように、ＣＩＳモジュール２０の保護部２７における方向Ｃ１の先頭側端部に、突出部２８を有している。ここで、突出部２８は、図１０で表されるように、読取部１０が第２領域Ｒ２側から第１領域Ｒ１側に移動する際、突起部２９及び３０よりも先に小ガラス１１と接触するよう構成されている。
【００４４】
次に、読取部１０における移動補助部１８との接触部について説明する。  
図１２、図１３及び図１４は、本実施例の読取装置３の要部である読取部１０の方向Ｄにおける端部を表す概略斜視図である。  
上記のように、本実施例の読取部１０は、保護部２７を備えている。そして、図１２、図１３及び図１４で表されるように、保護部２７の上部であって方向Ｄにおける読取部１０の外側には、移動補助部１８の押出部３１と接触する平坦面３５が構成されている。保護部２７がこのように構成されていることによって、読取部１０は移動補助部１８を介して第１領域Ｒ１と第２領域Ｒ２との領域間を移動する際、滑らかに移動することができる。
【００４５】
これまで説明した内容をまとめると、上記のように、本実施例の読取装置３は、複数の透明部材としての小ガラス１１及び大ガラス１２と、前記透明部材を介して原稿を読み取る読取部１０を備えている。  
また、小ガラス１１と対向する第１領域Ｒ１から大ガラス１２と対向する第２領域Ｒ２までの領域間において、読取部１０を移動させる移動部２６を備えている。  
また、前記領域間の読取部１０の移動経路の少なくとも一部を構成し、小ガラス１１において読取部１０と対向可能な側に設けられた下面３３と面一に構成された平坦部３２と、方向Ｃにおいて大ガラス１２側に平坦部３２と隣接して設けられ、読取部１０を移動させる際に該読取部１０を下面３３と交差する方向に押し出す押出部３１と、を有する移動補助部１８を備えている。  
また、別の表現をすると、方向Ｃにおいて大ガラス１２側に設けられ、読取部１０を移動させる際に該読取部１０を下面３３と交差する方向に押し出す押出部３１と、下面３３の端部と押出部３１との間を埋めて、読取部１０が小ガラス１１の端部への引っ掛かりを防止する補間部としての平坦部３２と、を有する移動補助部移動補助部１８を備えている。  
そして、読取部１０は、第１領域Ｒ１のうちの下面３３及び平坦部３２の両方と対向する第１読取位置（読取部１０のうちの一部が下面３３と対向し、読取部１０のうちの前記一部以外の一部が平坦部３２と対向する位置）で、前記原稿を読み取り可能である。
【００４６】
このように、移動補助部１８は、読取部１０の移動方向である方向Ｃにおいて大ガラス１２側に平坦部３２と隣接して設けられた押出部３１を有している。したがって、読取部１０の移動が滑らかになるため、前記領域間を移動する際の読取部１０の移動不良を抑制している。  
また、読取部１０は、第１領域Ｒ１のうちの下面３３及び平坦部３２の両方と対向する前記第１読取位置で、前記原稿を読み取り可能である。このため、小ガラス１１と大ガラス１２とを接近して構成して読取装置３をコンパクト化し、平坦部３２により読取部１０を傾かせることなく前記第１読取位置に位置させている。
【００４７】
また、上記のように、本実施例の読取装置３は、複数枚の原稿をセット可能なセットトレイ６を備え、該セットトレイ６から原稿を１枚ずつ給送することができる。すなわち、原稿自動送り装置、所謂「Ａｕｔｏ  Ｄｏｃｕｍｅｎｔ  Ｆｅｅｄｅｒ（ＡＤＦ）」を備えている。  
そして、読取部１０はＡＤＦから送られる前記原稿を前記第１読取位置で読み取り可能である。  
このため、ＡＤＦを備える読取装置３において、該読取装置３をコンパクト化し、前記領域間を移動する読取部１０の移動不良を抑制し、該読取部１０を傾かせることなく前記第１読取位置に位置させている。
【００４８】
また、上記のように、本実施例の原稿台９の大ガラス１２は、前記原稿を載置可能であり、読取部１０は大ガラス１２に載置された前記原稿を第２領域Ｒ２で読み取り可能である。  
このため、前記原稿を載置可能な大ガラス１２を備える読取装置３において、該読取装置３をコンパクト化し、前記領域間を移動する読取部１０の移動不良を抑制し、該読取部１０を傾かせることなく前記第１読取位置に位置させている。
【００４９】
また、上記のように、本実施例の読取部１０は、方向Ｃと交差する方向Ｄに沿って前記原稿を読み取るＣＩＳモジュール２０を有している。  
そして、読取部１０が前記第１読取位置にある際のＣＩＳモジュール２０の読取ラインは、下面３３と対向する。すなわち、前記読取ラインを下面３３と対向する位置に構成し、読取部１０のうちの前記読取ライン以外の部分を平坦部３２と対向する位置に構成している。  
このため、小ガラス１１と大ガラス１２とを接近して構成して効果的に読取装置３をコンパクト化している。
【００５０】
また、上記のように、本実施例の読取部１０は、小ガラス１１と接触可能な突起部２９及び３０を有している。  
このため、突起部２９及び３０により読取部１０と小ガラス１１との接触に伴う摩擦力を低減し、前記領域間を移動する読取部１０の移動不良を効果的に抑制している。
【００５１】
また、上記のように、本実施例の読取部１０は、読取部１０が第２領域Ｒ２側から第１領域Ｒ１側に移動する際、突起部２９及び３０よりも先に小ガラス１１と接触し、突起部２９及び３０が小ガラス１１の第２領域Ｒ２側端部と接触しないようにする突出部２８を有している。  
詳細には、本実施例の突出部２８を、読取部１０が第２領域Ｒ２側から第１領域Ｒ１側に移動する際、小ガラス１１の第２領域Ｒ２側端部と接触しない位置に設けており、突起部２９及び３０が小ガラス１１の第２領域Ｒ２側端部に接触しないように構成している。こうして、突起部２９及び３０が小ガラス１１に対して引っ掛かることを抑制し、前記領域間を移動する読取部１０の移動不良を効果的に抑制している。  
また、本実施例の読取装置３の要部拡大図である図１５で表されるように、本実施例の突出部２８は、小ガラス１１と接触する際の小ガラス１１に対する接触部分は曲面形状をしている。そして、読取部１０の小ガラス１１と接触する際の小ガラス１１に対する進入角度Θ１は、突起部２９及び３０が小ガラス１１の第２領域Ｒ２側端部と接触しないよう構成されている。  
このような構成により、読取部１０が小ガラス１１と接触する際の衝撃を低減し、前記領域間を移動する読取部１０の移動不良を効果的に抑制している。  
なお、突出部２８が無い参考例の読取装置３の要部拡大図である図１６で表されるように、突出部２８が無い読取装置３では、読取部１０の小ガラス１１と接触する際の小ガラス１１に対する進入角度Θ２にもよるが、突起部２９及び３０が小ガラス１１の移動補助部１８側端部と接触し易くなる虞がある。  
ただし、本実施例とは別の構成により、突出部２８を突起部２９よりも小ガラス１１に対して引っ掛かり難い構成にしてもよい。
【００５２】
また、本実施例の押出部３１は、読取部１０が第２領域Ｒ２側から第１領域Ｒ１側に移動する際、突起部２９及び３０よりも先に読取部１０の第１領域Ｒ１側の端部である突出部２８が小ガラス１１と接触し、突起部２９及び３０が小ガラス１１の第２領域Ｒ２側端部と接触しないように構成されている。  
こうして、突起部２９及び３０が小ガラス１１に対して引っ掛かることを抑制し、前記領域間を移動する読取部１０の移動不良を効果的に抑制している。  
なお、本実施例では、読取部１０の第１領域Ｒ１側の端部に突出部２８を設けているが、突出部２８を設けていない構成であってもよい。
【００５３】
また、本実施例の読取部１０は、図９及び図１０で表されるように、方向Ｃのうちの第２領域Ｒ２側から第１領域Ｒ１側に向かう方向Ｃ１において前側の前側突起部２９と後側の後側突起部３０とを有している。  
このように、突起部を方向Ｃに複数備えるため、突起部２９及び３０により読取部１０と小ガラス１１との接触に伴う摩擦力を効果的に低減しており、前記領域間を移動する読取部１０の移動不良を効果的に抑制している。
【００５４】
また、図９で表されるように、本実施例の読取部１０では、後側突起部３０と後側の読取部１０の端部との距離Ｌ２は、前側突起部２９と前側の読取部１０の端部との距離Ｌ１よりも長くなるように構成されている。すなわち、後側突起部３０は前側突起部２９に寄せられて構成されており、前側突起部２９が小ガラス１１と接触してからすぐに後側突起部３０が小ガラス１１と接触するように構成されている。  
このため、前記領域間を移動する読取部１０の移動不良を特に効果的に抑制している。
【００５５】
また、図９で表されるように、本実施例の読取部１０は、読取部１０が前記第１読取位置にある際、保護部２７が押出部３１の斜面部３６と接触しない程度に、後側突起部３０よりも第２領域Ｒ２側の一部が押出部３１の斜面部３６と対向するように構成されている。すなわち、読取部１０のうちの後側突起部３０よりも第２領域Ｒ２側の少なくとも一部を押出部３１と対向する位置に構成している。このため、効果的に読取装置３をコンパクト化している。
【符号の説明】
【００５６】
１  画像形成装置、２  記録装置、３  読取装置、４  カセット、５  排出トレイ、
６  セットトレイ、７  排出トレイ、８  原稿押さえカバー、９  原稿台、
１０  読取部、１１  小ガラス（第１透明部材）、１２  大ガラス（第２透明部材）、
１３  給送部、１４  ローラー対、１５  ローラー対、１６  ローラー対、
１７  ローラー対、１８  移動補助部、１９  キャリッジ、
２０  ＣＩＳモジュール（読取ライン）、２１  ガイド軸、２２  軸受、
２３  ベルト、２４  プーリー、２５  モーター、２６  移動部、２７  保護部、
２８  突出部、２９  突起部（前側突起部）、３０  突起部（後側突起部）、
３１  押出部、３２  平坦部、３３  小ガラス１１の下面、３４  バネ、
３５  平坦面、３６  斜面部、
Ｌ１  前側突起部２９と前側の読取部１０の端部との距離、
Ｌ２  後側突起部３０と後側の読取部１０の端部との距離、Ｒ１  第１領域、
Ｒ２  第２領域、
Θ１  読取部１０の小ガラス１１と接触する際の小ガラス１１に対する進入角度、
Θ２  読取部１０の小ガラス１１と接触する際の小ガラス１１に対する進入角度
【図１】
2015154174.tif 000003
【図２】
2015154174.tif 000004
【図３】
2015154174.tif 000005
【図４】
2015154174.tif 000006
【図５】
2015154174.tif 000007
【図６】
2015154174.tif 000008
【図７】
2015154174.tif 000009
【図８】
2015154174.tif 000010
【図９】
2015154174.tif 000011
【図１０】
2015154174.tif 000012
【図１１】
2015154174.tif 000013
【図１２】
2015154174.tif 000014
【図１３】
2015154174.tif 000015
【図１４】
2015154174.tif 000016
【図１５】
2015154174.tif 000017
【図１６】
2015154174.tif 000018